【手続補正書】
【提出日】平成24年2月6日(2012.2.6)
【手続補正１】
【補正対象書類名】明細書
【補正対象項目名】０００７
【補正方法】変更
【補正の内容】
【０００７】
上記目的を達成するために、発光装置を用いた撮像が可能な本発明の撮像装置は、撮像手段により撮像して得られた画像データの輝度情報を求める輝度検出手段と、前記画像データから、画像に含まれる被写体の動き量を検出する動き検出手段と、前記輝度検出手段により求めた輝度情報に基づいて、前記発光装置の発光の要否を判断する判断手段と、前記判断手段により前記発光装置を用いた撮像を行うと判断された場合に、前記被写体の動き量に基づいて、露光時間の最長限度を設定する設定手段と、前記撮像手段により撮像して得られた画像データの輝度情報に基づいて、前記設定手段により設定された露光時間の最長限度を露光時間の上限として、前記露光時間を含む露出条件を求める露出制御手段とを有し、前記設定手段は、前記被写体の動き量が小さいほど、前記最長限度をより長くする。
【手続補正２】
【補正対象書類名】明細書
【補正対象項目名】０００８
【補正方法】変更
【補正の内容】
【０００８】
また、発光装置を用いた撮像が可能な撮像装置の本発明の制御方法は、輝度検出手段が、撮像手段により撮像して得られた画像データの輝度情報を求める輝度検出工程と、動き検出手段が、前記画像データから、画像に含まれる被写体の動き量を検出する動き検出工程と、判断手段が、前記輝度検出工程により求めた輝度情報に基づいて、前記発光装置の発光の要否を判断する判断工程と、設定手段が、前記判断工程により前記発光装置を用いた撮像を行うと判断された場合に、前記被写体の動き量に基づいて、露光時間の最長限度を設定する設定工程と、露出制御手段が、前記撮像手段により撮像して得られた画像データの輝度情報に基づいて、前記設定工程により設定された露光時間の最長限度を露光時間の上限として、前記露光時間を含む露出条件を求める露出制御工程とを有し、前記設定工程では、前記被写体の動き量が小さいほど、前記最長限度をより長くする。
【手続補正３】
【補正対象書類名】明細書
【補正対象項目名】０００９
【補正方法】変更
【補正の内容】
【０００９】
また、別の構成によれば、発光装置を用いた撮像が可能な本発明の撮像装置は、撮像手段により撮像して得られた画像データの輝度情報を求める輝度検出手段と、前記撮像装置の動き量を検出するぶれ検出手段と、前記輝度検出手段により求めた輝度情報に基づいて、前記発光装置の発光の要否を判断する判断手段と、前記判断手段により前記発光装置を用いた撮像を行うと判断された場合に、前記撮像装置の動き量に基づいて、露光時間の最長限度を設定する設定手段と、前記撮像手段により撮像して得られた画像データの輝度情報に基づいて、前記設定手段により設定された露光時間の最長限度を露光時間の上限として、前記露光時間を含む露出条件を求める露出制御手段とを有し、前記設定手段は、前記撮像装置の動き量が小さいほど、前記最長限度をより長くする。
【手続補正４】
【補正対象書類名】明細書
【補正対象項目名】００１０
【補正方法】変更
【補正の内容】
【００１０】
また、発光装置を用いた撮像が可能な撮像装置の本発明の制御方法は、輝度検出手段が、撮像手段により撮像して得られた画像データの輝度情報を求める輝度検出工程と、ぶれ検出手段が、前記撮像装置の動き量を検出するぶれ検出工程と、判断手段が、前記輝度検出工程により求めた輝度情報に基づいて、前記発光装置の発光の要否を判断する判断工程と、設定手段が、前記判断工程により前記発光装置を用いた撮像を行うと判断された場合に、前記撮像装置の動き量に基づいて、露光時間の最長限度を設定する設定工程と、露出制御手段が、前記撮像手段により撮像して得られた画像データの輝度情報に基づいて、前記設定工程により設定された露光時間の最長限度を露光時間の上限として、前記露光時間を含む露出条件を求める露出制御工程とを有し、前記設定工程では、前記撮像装置の動き量が小さいほど、前記最長限度をより長くする。
【手続補正５】
【補正対象書類名】特許請求の範囲
【補正対象項目名】全文
【補正方法】変更
【補正の内容】
【特許請求の範囲】
【請求項１】
発光装置を用いた撮像が可能な撮像装置であって、
撮像手段により撮像して得られた画像データの輝度情報を求める輝度検出手段と、
前記画像データから、画像に含まれる被写体の動き量を検出する動き検出手段と、
前記輝度検出手段により求めた輝度情報に基づいて、前記発光装置の発光の要否を判断する判断手段と、
前記判断手段により前記発光装置を用いた撮像を行うと判断された場合に、前記被写体の動き量に基づいて、露光時間の最長限度を設定する設定手段と、
前記撮像手段により撮像して得られた画像データの輝度情報に基づいて、前記設定手段により設定された露光時間の最長限度を露光時間の上限として、前記露光時間を含む露出条件を求める露出制御手段とを有し、
前記設定手段は、前記被写体の動き量が小さいほど、前記最長限度をより長くすることを特徴とする撮像装置。
【請求項２】
前記画像データから、前記被写体を検出する被写体検出手段を更に有し、
前記動き検出手段は、前記被写体検出手段により検出された前記被写体の動き量を検出することを特徴とする請求項１に記載の撮像装置。
【請求項３】
前記設定手段は、前記被写体の一定期間における動き量の平均値に基づいて、前記最長限度を設定することを特徴とする請求項１または２に記載の撮像装置。
【請求項４】
前記撮像装置の動き量を検出するぶれ検出手段を更に有し、
前記設定手段は、前記撮像装置の動き量が小さいほど、前記最長限度をより長くすることを特徴とする請求項１乃至３のいずれか１項に記載の撮像装置。
【請求項５】
発光装置を用いた撮像が可能な撮像装置であって、
撮像手段により撮像して得られた画像データの輝度情報を求める輝度検出手段と、
前記撮像装置の動き量を検出するぶれ検出手段と、
前記輝度検出手段により求めた輝度情報に基づいて、前記発光装置の発光の要否を判断する判断手段と、
前記判断手段により前記発光装置を用いた撮像を行うと判断された場合に、前記撮像装置の動き量に基づいて、露光時間の最長限度を設定する設定手段と、
前記撮像手段により撮像して得られた画像データの輝度情報に基づいて、前記設定手段により設定された露光時間の最長限度を露光時間の上限として、前記露光時間を含む露出条件を求める露出制御手段とを有し、
前記設定手段は、前記撮像装置の動き量が小さいほど、前記最長限度をより長くすることを特徴とする撮像装置。
【請求項６】
発光装置を用いた撮像が可能な撮像装置の制御方法であって、
輝度検出手段が、撮像手段により撮像して得られた画像データの輝度情報を求める輝度検出工程と、
動き検出手段が、前記画像データから、画像に含まれる被写体の動き量を検出する動き検出工程と、
判断手段が、前記輝度検出工程により求めた輝度情報に基づいて、前記発光装置の発光の要否を判断する判断工程と、
設定手段が、前記判断工程により前記発光装置を用いた撮像を行うと判断された場合に、前記被写体の動き量に基づいて、露光時間の最長限度を設定する設定工程と、
露出制御手段が、前記撮像手段により撮像して得られた画像データの輝度情報に基づいて、前記設定工程により設定された露光時間の最長限度を露光時間の上限として、前記露光時間を含む露出条件を求める露出制御工程とを有し、
前記設定工程では、前記被写体の動き量が小さいほど、前記最長限度をより長くすることを特徴とする撮像装置の制御方法。
【請求項７】
発光装置を用いた撮像が可能な撮像装置の制御方法であって、
輝度検出手段が、撮像手段により撮像して得られた画像データの輝度情報を求める輝度検出工程と、
ぶれ検出手段が、前記撮像装置の動き量を検出するぶれ検出工程と、
判断手段が、前記輝度検出工程により求めた輝度情報に基づいて、前記発光装置の発光の要否を判断する判断工程と、
設定手段が、前記判断工程により前記発光装置を用いた撮像を行うと判断された場合に、前記撮像装置の動き量に基づいて、露光時間の最長限度を設定する設定工程と、
露出制御手段が、前記撮像手段により撮像して得られた画像データの輝度情報に基づいて、前記設定工程により設定された露光時間の最長限度を露光時間の上限として、前記露光時間を含む露出条件を求める露出制御工程とを有し、
前記設定工程では、前記撮像装置の動き量が小さいほど、前記最長限度をより長くすることを特徴とする撮像装置の制御方法。